(57)【要約】【課題】同期して再生される複数のストリーム情報に対しても短縮再生を可能とする情報再生装置を提供する。【解決手段】情報再生装置１において、情報分解部１０は、複数の映像情報及び音情報を、個々の映像情報と音情報に分解し、分解した映像情報及び当該映像情報に対応付けられる音情報を１組の映像音情報として情報格納部２０−１，２０−２のそれぞれに記録する。部分情報抽出部３０−１，３０−２は、１組の映像音情報に含まれる映像情報の一部分を示す情報、または１組の映像音情報に含まれる音情報の一部分を示す情報を有する部分情報を情報格納部２０−１，２０−２に記憶される１組の映像音情報のそれぞれから抽出する。情報再生部４０は、複数の部分情報に基づいて、再生を行う部分を選択し、情報格納部２０−１，２０−２のそれぞれから選択した部分に対応する１組の映像音情報を読み出して再生を行う。【選択図】    図１
2006333340.tif 000002
【特許請求の範囲】
【請求項１】
入力される複数の映像情報及び前記映像情報に対応付けられる音情報を再生する情報再生装置であって、
１つの前記映像情報と音情報を記憶する複数の情報格納部と、
前記複数の映像情報及び音情報を、個々の前記映像情報と前記音情報に分解し、分解した前記映像情報及び当該映像情報に対応付けられる前記音情報を１組の映像音情報として前記複数の情報格納部のそれぞれに記録する情報分解部と、
前記複数の情報格納部のそれぞれに対応して設けられ、前記１組の映像音情報に含まれる前記映像情報の一部分を示す情報、または前記１組の映像音情報に含まれる前記音情報の一部分を示す情報を有する部分情報を前記複数の情報格納部に記憶される前記１組の映像音情報のそれぞれから抽出する複数の部分情報抽出部と、
前記複数の部分情報抽出部が抽出する複数の部分情報に基づいて、再生を行う部分を選択し、前記情報格納部から選択した部分に対応する前記１組の映像音情報を読み出して再生を行う情報再生部と、
を備えたことを特徴とする情報再生装置。
【請求項２】
前記情報再生部は、
前記複数の映像情報と音情報のそれぞれが同期されて出力されるように予め個々の映像情報及び音情報に付与される時刻参照情報に基づいて、前記情報格納部から前記映像情報あるいは前記音情報を読み出して再生を行い、
前記複数の部分情報抽出手段は、
対応する前記情報格納部から所定の条件に該当する部分の前記音情報の一部分を示す情報である前記時刻参照情報、または前記映像情報の一部分を示す情報である前記時刻参照情報を抽出して前記情報再生部に出力することを特徴とする請求項１に記載の情報再生装置。
【請求項３】
前記所定の条件は、前記音情報に係る音量値が所定値以上となる部分であることを特徴とする請求項２に記載の情報再生装置。
【請求項４】
前記所定の条件は、前記映像情報に係る輝度値が所定値以上となる部分であることを特徴とする請求項２または３に記載の情報再生装置。
【請求項５】
前記情報再生部が再生する情報を視聴するユーザに関する情報であるユーザ情報を検出するユーザ情報検出部を備え、
前記情報再生部は、
前記ユーザ情報検出部が検出する前記ユーザ情報に基づいて、前記部分情報を再生することを特徴とする請求項１から４のいずれか１つに記載の情報再生装置。
【請求項６】
前記ユーザ情報検出部は、
前記情報再生部が前記複数の映像情報を個々に再生するために有する複数の表示画面と前記ユーザとの距離に関する情報を前記ユーザ情報として検出することを特徴とする請求項５に記載の情報再生装置。
【請求項７】
前記情報再生部は、
前記ユーザ情報検出部が検出する前記ユーザ情報が示す距離に基づいて、前記ユーザ情報検出部が検出する前記ユーザ情報に対応する部分情報抽出部の所定の条件を変更する指示を送信して当該部分情報抽出部に抽出を行わせ、前記複数の部分情報抽出部が抽出する複数の部分情報に基づいて、再生を行う部分を選択し、前記情報格納部から選択した部分に対応する映像音情報を読み出して再生を行うことを特徴とする請求項６に記載の情報再生装置。
【請求項８】
前記ユーザ情報検出部は、
前記複数の表示画面に対するユーザの視線に関する情報をユーザ情報として検出することを特徴とする請求項５から７のいずれか１つに記載の情報再生装置。
【請求項９】
入力される複数の映像情報及び前記映像情報に対応付けられる音情報を再生し、１つの前記映像情報と音情報を記憶する複数の情報格納部を具備した情報再生装置における情報再生方法であって、
前記複数の映像情報及び音情報を、個々の前記映像情報と前記音情報に分解し、分解した前記映像情報及び当該映像情報に対応付けられる前記音情報を１組の映像音情報として前記複数の情報格納部のそれぞれに記録するステップと、
前記１組の映像音情報に含まれる前記映像情報の一部分を示す情報、または前記１組の映像音情報に含まれる前記音情報の一部分を示す情報を有する部分情報を前記複数の情報格納部に記憶される前記１組の映像音情報のそれぞれから抽出するステップと、
抽出した複数の部分情報に基づいて、再生を行う部分を選択し、前記情報格納部から選択した部分に対応する前記１組の映像音情報を読み出して再生を行うステップと、
を有することを特徴とする情報再生方法。
【請求項１０】
入力される複数の映像情報及び前記映像情報に対応付けられる音情報を再生し、１つの前記映像情報と音情報を記憶する複数の情報格納部を具備した情報再生装置のコンピュータに、
前記複数の映像情報及び音情報を、個々の前記映像情報と前記音情報に分解し、分解した前記映像情報及び当該映像情報に対応付けられる前記音情報を１組の映像音情報として前記複数の情報格納部のそれぞれに記録するステップと、
前記１組の映像音情報に含まれる前記映像情報の一部分を示す情報、または前記１組の映像音情報に含まれる前記音情報の一部分を示す情報を有する部分情報を前記複数の情報格納部に記憶される前記１組の映像音情報のそれぞれから抽出するステップと、
抽出した複数の部分情報に基づいて、再生を行う部分を選択し、前記情報格納部から選択した部分に対応する前記１組の映像音情報を読み出して再生を行うステップと、
を実行させるためのコンピュータプログラム。
【発明の詳細な説明】
【技術分野】
【０００１】
本発明は、複数の映像情報及び音情報等で構成されるマルチストリーム情報を再生する情報再生装置、情報再生方法及びコンピュータプログラムに関する。
【背景技術】
【０００２】
従来の技術では、映画やテレビのコンテンツ情報を構成する映像情報や音情報等のストリーム情報を短縮あるいは要約して再生する場合、映像情報のみ、もしくは音情報のみ、または１ストリームの映像情報と当該映像情報に対応する１ストリームの音情報の組み合わせのみに対して実現されていた。例えば、ビデオデッキや映像再生ツールでは、高速再生や早送り再生時には、映像は速度固定で再生される。その速度は標準速度の２倍〜２０倍の大きさの速度である。その際、音はまったく再生されない場合が多く、また再生されたとしても、音の一部だけが途切れ途切れに再生されている場合が多い。
【０００３】
また、近年のビデオデッキの時短機能では、映像は一定速度で高速再生し、音は無音区間を除いた部分を高速化して再生できない音ができるだけ少なくなるようにしている。また、さらに、上記の技術以外にも、映像を短縮して再生を行う技術がいくつか開示されている（例えば、特許文献１及び非特許文献１参照）。
【特許文献１】特開２００３−１６９２９８号公報
【非特許文献１】Michael A. Smith and Takeo Kanade,”Video Skimming and Characterization through the Combination of Image and Language Understanding Techniques, Proceedings of Computer Vision and Pattern Recognition”, pp.775-781, June 1997.
【発明の開示】
【発明が解決しようとする課題】
【０００４】
しかしながら、従来の技術では、一般的なコンテンツ情報が、１ストリームの映像情報とそれに対応した１ストリームの音情報で構成されるため、短縮再生も１ストリームの映像情報と１ストリームの音情報に対応する機能しか有しておらず、マルチストリーム、すなわち複数のストリーム情報について短縮して同時再生することができないという問題があった。
【０００５】
確かに、近年一般に普及しているＤＶＤ（Digital Versatile Disc）等の記録媒体では、マルチアングルや、２カ国語等の複数のストリーム情報を記憶している媒体もあるが、マルチアングルの映像を同時に表示したり、あるいは複数の音情報を同時に再生することは基本的に考えられておらず、１時点では１ストリームの映像情報と１ストリームの音情報しか再生する機能しか有していない。また、Dolby-Digital（登録商標）やDTS(Digital Theater System)（登録商標）等の複数チャネルの音を再生することができるシステムも存在するが、それらは、データとして、予め１ストリームの音情報として構成したものを用いており、個々に存在する異なるストリーム情報を再生しているわけではない。
【０００６】
本発明は、上記問題を解決すべくなされたもので、その目的は、同期して再生される複数のストリーム情報に対しても短縮再生を可能とする情報再生装置、情報再生方法及びコンピュータプログラムを提供することにある。
【課題を解決するための手段】
【０００７】
上記問題を解決するために、本発明は、入力される複数の映像情報及び前記映像情報に対応付けられる音情報を再生する情報再生装置であって、１つの前記映像情報と音情報を記憶する複数の情報格納部と、前記複数の映像情報及び音情報を、個々の前記映像情報と前記音情報に分解し、分解した前記映像情報及び当該映像情報に対応付けられる前記音情報を１組の映像音情報として前記複数の情報格納部のそれぞれに記録する情報分解部と、前記複数の情報格納部のそれぞれに対応して設けられ、前記１組の映像音情報に含まれる前記映像情報の一部分を示す情報、または前記１組の映像音情報に含まれる前記音情報の一部分を示す情報を有する部分情報を前記複数の情報格納部に記憶される前記１組の映像音情報のそれぞれから抽出する複数の部分情報抽出部と、前記複数の部分情報抽出部が抽出する複数の部分情報に基づいて、再生を行う部分を選択し、前記情報格納部から選択した部分に対応する前記１組の映像音情報を読み出して再生を行う情報再生部と、を備えたことを特徴とする情報再生装置である。
【０００８】
本発明は、上記に記載の発明において、前記情報再生部は、前記複数の映像情報と音情報のそれぞれが同期されて出力されるように予め個々の映像情報及び音情報に付与される時刻参照情報に基づいて、前記情報格納部から前記映像情報あるいは前記音情報を読み出して再生を行い、前記複数の部分情報抽出手段は、対応する前記情報格納部から所定の条件に該当する部分の前記音情報の一部分を示す情報である前記時刻参照情報、または前記映像情報の一部分を示す情報である前記時刻参照情報を抽出して前記情報再生部に出力することを特徴とする。
【０００９】
本発明は、上記に記載の発明において、前記所定の条件は、前記音情報に係る音量値が所定値以上となる部分であることを特徴とする。
【００１０】
本発明は、上記に記載の発明において、前記所定の条件は、前記映像情報に係る輝度値が所定値以上となる部分であることを特徴とする。
【００１１】
本発明は、上記に記載の発明において、前記情報再生部が再生する情報を視聴するユーザに関する情報であるユーザ情報を検出するユーザ情報検出部を備え、前記情報再生部は、前記ユーザ情報検出部が検出する前記ユーザ情報に基づいて、前記部分情報を再生することを特徴とする。
【００１２】
本発明は、上記に記載の発明において、前記ユーザ情報検出部は、前記情報再生部が前記複数の映像情報を個々に再生するために有する複数の表示画面と前記ユーザとの距離に関する情報を前記ユーザ情報として検出することを特徴とする。
【００１３】
本発明は、上記に記載の発明において、前記情報再生部は、前記ユーザ情報検出部が検出する前記ユーザ情報が示す距離に基づいて、前記ユーザ情報検出部が検出する前記ユーザ情報に対応する部分情報抽出部の所定の条件を変更する指示を送信して当該部分情報抽出部に抽出を行わせ、前記複数の部分情報抽出部が抽出する複数の部分情報に基づいて、再生を行う部分を選択し、前記情報格納部から選択した部分に対応する映像音情報を読み出して再生を行うことを特徴とする。
【００１４】
本発明は、上記に記載の発明において、前記ユーザ情報検出部は、前記複数の表示画面に対するユーザの視線に関する情報をユーザ情報として検出することを特徴とする。
【００１５】
本発明は、入力される複数の映像情報及び前記映像情報に対応付けられる音情報を再生し、１つの前記映像情報と音情報を記憶する複数の情報格納部を具備した情報再生装置における情報再生方法であって、前記複数の映像情報及び音情報を、個々の前記映像情報と前記音情報に分解し、分解した前記映像情報及び当該映像情報に対応付けられる前記音情報を１組の映像音情報として前記複数の情報格納部のそれぞれに記録するステップと、
前記１組の映像音情報に含まれる前記映像情報の一部分を示す情報、または前記１組の映像音情報に含まれる前記音情報の一部分を示す情報を有する部分情報を前記複数の情報格納部に記憶される前記１組の映像音情報のそれぞれから抽出するステップと、抽出した複数の部分情報に基づいて、再生を行う部分を選択し、前記情報格納部から選択した部分に対応する前記１組の映像音情報を読み出して再生を行うステップと、を有することを特徴とする情報再生方法である。
【００１６】
本発明は、入力される複数の映像情報及び前記映像情報に対応付けられる音情報を再生し、１つの前記映像情報と音情報を記憶する複数の情報格納部を具備した情報再生装置のコンピュータに、前記複数の映像情報及び音情報を、個々の前記映像情報と前記音情報に分解し、分解した前記映像情報及び当該映像情報に対応付けられる前記音情報を１組の映像音情報として前記複数の情報格納部のそれぞれに記録するステップと、前記１組の映像音情報に含まれる前記映像情報の一部分を示す情報、または前記１組の映像音情報に含まれる前記音情報の一部分を示す情報を有する部分情報を前記複数の情報格納部に記憶される前記１組の映像音情報のそれぞれから抽出するステップと、抽出した複数の部分情報に基づいて、再生を行う部分を選択し、前記情報格納部から選択した部分に対応する前記１組の映像音情報を読み出して再生を行うステップと、を実行させるためのコンピュータプログラムである。
【発明の効果】
【００１７】
この発明によれば、情報再生装置は、入力される複数の映像情報及び音情報を、個々の映像情報と音情報に分解し、分解した映像情報及び当該映像情報に対応付けられる音情報を１組の映像音情報として複数の情報格納部のそれぞれに記録する。また、１組の映像音情報に含まれる前記映像情報の一部分を示す情報、または１組の映像音情報に含まれる音情報の一部分を示す情報を有する部分情報を複数の情報格納部に記憶される１組の映像音情報のそれぞれから抽出する。そして、複数の部分情報に基づいて、再生を行う部分を選択し、選択した部分に対応する情報格納部から１組の映像音情報を読み出して再生を行う構成とした。これにより、複数の映像情報及び音情報からなるマルチストリーム情報について、短縮して同時再生することが可能となる。
【００１８】
また、本発明によれば、情報再生装置は、複数の映像情報と音情報のそれぞれが同期されて出力されるように予め個々の映像情報及び音情報に付与される時刻参照情報に基づいて、情報格納部から映像情報あるいは音情報を読み出して再生を行い、所定の条件に該当する部分の音情報の一部分を示す情報である時刻参照情報、または映像情報の一部分を示す情報である時刻参照情報を抽出する構成とした。これにより、複数の映像情報及び音情報からなるマルチストリーム情報について、短縮して同時再生することが可能となる。
【００１９】
また、本発明によれば、上記の所定の条件は、音情報に係る音量値が所定値以上となる部分である構成とした。これにより、音情報の音量値に応じて短縮する箇所を特定することが可能となる。
【００２０】
また、本発明によれば、上記の所定の条件は、映像情報に係る輝度値が所定値以上となる部分である構成とした。これにより、映像情報の輝度値に応じて短縮する箇所を特定することが可能となる。
【００２１】
また、本発明によれば、情報再生装置は、再生する情報を視聴するユーザに関する情報であるユーザ情報を検出するユーザ情報検出部を更に備え、検出するユーザ情報に基づいて、部分情報を再生する構成とした。これにより、ユーザに関する情報に基づいて、短縮して再生する箇所を特定することが可能となる。
【００２２】
また、本発明によれば、情報再生装置は、映像情報を個々に再生するために有する複数の表示画面とユーザとの距離に関する情報をユーザ情報として検出する構成とした。これにより、ユーザが表示画面から離れた場合には短縮して再生し、近づいた場合には、短縮せずに再生するといった再生処理が可能となる。
【００２３】
また、本発明によれば、情報再生装置は、検出するユーザ情報が示す距離に基づいて、検出するユーザ情報に対応する所定の条件を変更し、抽出する複数の部分情報に基づいて、再生を行う部分を選択し、情報格納部のそれぞれから選択した部分に対応する映像音情報を読み出して再生を行う構成とした。これにより、ユーザが表示画面から離れた場合には短縮して再生できるように所定の条件を変更して抽出を行い、近づいた場合には短縮しないように所定の条件を変更して抽出を行わせることで、ユーザ情報が検出されない間は短縮再生を行い、ユーザ情報が検出された際に通常の速度で再生を行うといった再生処理が可能となる。
【００２４】
また、本発明によれば、情報再生装置は、複数の表示画面に対するユーザの視線に関する情報をユーザ情報として検出する構成とした。これにより、ユーザが見ている表示画面に再生されている映像情報及び当該映像情報に対応する音情報についてのみ所定の条件を変更して再生を行うといったことが可能となる。
【発明を実施するための最良の形態】
【００２５】
以下、本発明の実施形態を図面を参照して説明する。
（第１実施形態）
まず、図１及び図２を参照して本発明の第１実施形態に係る情報再生装置について説明する。図１は、本実施形態に係る情報再生装置１の機能構成を示した概略ブロック図である。
【００２６】
情報再生装置１において、情報分解部１０は、マルチストリーム情報の入力を受けて、マルチストリーム情報に含まれる複数の映像情報のストリーム情報及び当該映像情報に対応付けられる音情報のストリーム情報を、１つの映像情報のストリーム情報と当該映像情報のストリーム情報に対応する音情報のストリーム情報に分解し、分解した１組の映像情報と音情報のストリーム情報をシングルストリーム情報とし、シングルストリーム情報ごとに備えられる情報格納部２０−１，２０−２，…（以下、情報格納部全てを示す場合、情報格納部２０と記載）にシングルストリーム情報を記録する。
【００２７】
部分情報抽出部３０−１，３０−２，…（以下、部分情報抽出部全てを示す場合、部分情報抽出部３０と記載）は、それぞれに対応付けられる情報格納部２０−１，２０−２，…からストリーム情報短縮手段によって所定の条件に該当する音情報の部分を抽出し、抽出した部分に関するタイムコードを情報再生部４０に出力する。ここで、タイムコードとは、映像情報と音情報を同期させて再生するために、それぞれの情報に予め対応付けて付与される各々の情報の最初からの経過時間や再生順番などを示す時刻参照情報である。
【００２８】
また、上記の所定の条件とは、例えば、音情報を対象とする場合、音のストリーム情報の中で、一定の区間ごとのパワーの値、例えば音量値等の中で、当該音量値が予め定められる閾値以上となる部分を抽出するというような条件である。この場合、音量計測装置等を用いることで、閾値以上の音量値となる部分を抽出するストリーム情報短縮手段を実現することができる。また、その他の所定の条件として、人間の音声の部分を抽出するというような条件にしてもよく、この場合には、人間の音声帯域に通過帯域を有するフィルタ等を用いることで人間の音声の部分を抽出するストリーム情報短縮手段を実現することができる。
【００２９】
また、音情報以外にも、映像情報を対象としてもよい。映像情報の場合における所定の条件としては、例えばシーンの移り変わりの部分を抽出するというようなことを条件としてもよく、輝度値やパターンの変化量を計測する計測装置等を用いることで、シーンの移り変わりの部分を抽出するストリーム情報短縮手段を実現することができる。
【００３０】
情報再生部４０は、情報格納部２０に記録される短縮が行われていない映像と音の組からなるシングルストリーム情報を読み出し、マルチストリーム情報に合成した後に表示画面やスピーカなどの出力装置を通じて再生を行う。短縮されない場合には、合成されるマルチストリーム情報は、入力されるマルチストリーム情報と同じ情報となる。また、情報再生部４０は、部分情報抽出部３０によって部分情報を示すタイムコードが抽出された場合には、抽出されたタイムコードに対応する部分の映像情報と音情報を再生する。また、情報再生部４０は、複数の部分情報抽出部３０からタイムコードが抽出された場合、複数のタイムコードの重なる部分のみを再生する、あるいは抽出されたタイムコードについては全て再生するなどの予め設定される再生条件に従って再生を行う。
【００３１】
図２は、第１実施形態に係る情報再生装置１の情報再生処理を示したフローチャートである。まず最初に、複数の映像情報と音情報とを含むマルチストリーム情報が情報分解部１０に入力される（ステップＳａ１）。情報分解部１０は、１つの映像のストリーム情報と当該映像情報に対応する１つの音のストリーム情報からなるシングルストリーム情報にマルチストリーム情報を分解し、分解したシングルストリーム情報をそれぞれに対応する情報格納部２０に記録する（ステップＳａ２）。次に、部分情報抽出部３０は、それぞれの情報格納部２０から上記したストリーム情報短縮手段及び予め定められる所定の条件に基づいて、短縮再生を行う音情報あるいは映像情報のタイムコードを抽出し、抽出したタイムコードを情報再生部４０に出力する（ステップＳａ３）。
【００３２】
情報再生部４０は、予め定められる再生条件と部分情報抽出部３０−１，３０−２，…から出力されるタイムコードに基づいて再生する箇所を選択する。ここで、再生条件としては、タイムコードが重複する部分のみを再生する、あるいは出力されるタイムコードの全ての部分を再生する等の条件が設定されることになる（ステップＳａ４）。そして、選択したタイムコードに基づいて、それぞれの情報格納部２０からタイムコードに該当するシングルストリーム情報の部分を読み出して、マルチストリーム情報として合成し、表示画面や音声出力装置等の出力装置を介して再生を行う（ステップＳａ５）。
【００３３】
なお、予め定められる再生条件として、あるシングルストリーム情報に関しては音情報のみ、あるいは映像情報のみ再生するといったような条件を再生条件としてもよい。
【００３４】
上記の第１実施形態により、マルチストリーム情報に対しても短縮再生を行うことが可能となる。これにより、例えば、電子メール等では、相手の書いた文章を引用し、それに対して自分の意見を追加するかのように、会議の様子を録画する際に、録画の途中で、その映像の途中に自分の映像をマルチストリーム情報の１つとして付加するようなことも可能となる。
【００３５】
また、１時間の会議を普通に再生した場合には、視聴するために１時間必要となるが、上記の構成により、例えば、所定の条件として人間の音声がある部分を抽出するというような条件を設定することで、人の音声のある映像の部分を中心に再生することが可能となり、時間の節約を図ることが可能となる。さらに、これをマルチストリーム情報に対して行うことで、複数のストリーム情報について同様のことを行うことが可能となる。
【００３６】
（第２実施形態）
次に、図３から図５を参照して本発明の第２実施形態に係る情報再生装置について説明する。図３は、第２実施形態に係る情報再生装置１ａの機能構成を示した概略ブロック図である。図３に示す情報再生装置１ａは、図１に示した第１実施形態に係る情報再生装置１と以下の点で異なる。すなわち、第１実施形態に係る情報再生部４０に相当する機能部として、情報合成部４１と、情報合成部４１に接続される、表示装置４２−１，４２−２，…（以下、表示装置全てを示す場合、表示装置４２と記載）とを備えている。また、表示装置４２とユーザ１００との距離を計測するため、表示装置４２のそれぞれの近傍に備え付けられる人感センサ５０−１，５０−２，…（以下、人感センサ全てを示す場合、人感センサ５０と記載）を備えている。また、第２実施形態に係る部分情報抽出部３０ａ−１，３０ａ−２（以下、部分情報抽出部全てを示す場合、部分情報抽出部３０ａと記載）は、情報合成部４１と接続されている。それ以外の情報分解部１０及び情報格納部２０の構成については図１と同じであるため、同じ符号を付し、以下異なる構成について説明する。
【００３７】
表示装置４２は、音情報を出力するスピーカと映像情報を出力するディスプレイ、すなわち表示画面を備えており、情報合成部４１から出力されるシングルストリーム情報のうち映像情報をディスプレイに出力し、音声情報をスピーカに出力する。
【００３８】
人感センサ５０は、対応する表示装置４２のディスプレイの前面から一定の距離の範囲にユーザが存在するか否かを検出するセンサであり、検出した際には識別情報を含むユーザ情報を情報合成部４１に送信する。また、人感センサ５０は、表示装置４２及び部分情報抽出部３０ａに対応付けられており、あらかじめこの組み合わせを一意に認識可能な識別情報が人感センサ５０に付与され、その対応関係を示す情報を情報合成部４０が予め内部の記憶領域に記憶している。
【００３９】
情報合成部４１は、人感センサ５０からユーザ情報を受信していない間は、部分情報抽出部３０から出力されるタイムコードを合成し、合成したタイムコードに従ってシングルストリーム情報を個々の情報格納部２０から読み出し、シングルストリーム情報に対応するそれぞれの表示装置４２を介して読み出したシングルストリーム情報を再生する。また、情報合成部４１は、人感センサ５０のいずれかからユーザ情報を受信した際、ユーザ情報に含まれる識別情報に対応する部分情報抽出部３０ａ（ここでは、部分情報抽出部３０−１とする）に対して上記の所定の条件を変更する指示情報を出力する。ここで、第２実施形態においては、所定の条件として、通常の速度で再生するなどの条件が適用され、再生条件としては、個々の部分情報抽出部２０から抽出されるタイムコードに従って読み出されるシングルストリーム情報をそのまま表示装置４２を介して再生するという条件が設定される。
【００４０】
図４は、第２実施形態に係る情報再生装置１ａの情報再生処理を示したフローチャートである。まず最初に、複数の映像情報と音情報とを含むマルチストリーム情報が情報分解部１０に入力される（ステップＳｂ１）。情報分解部１０は、１つの映像のストリーム情報と当該映像情報に対応する１つの音のストリーム情報からなるシングルストリーム情報にマルチストリーム情報を分解し、分解したシングルストリーム情報をそれぞれに対応する情報格納部２０に記録する（ステップＳｂ２）。情報合成部４１は、人感センサ５０のいずれかからユーザ情報を受信しているか否かを判定する（ステップＳｂ３）。情報合成部４１は、ユーザ情報を受信している場合には、当該ユーザ情報に含まれる識別情報を読み出し、読み出した識別情報に対応する部分抽出部３０ａに指示情報を出力し、当該指示情報を受けた部分情報抽出部３０ａは、上記した所定の条件に変更して、通常の速度で再生されるようにタイムコードを抽出して情報合成部４１に出力する（ステップＳｂ５）。次に、情報合成部４１は、上記の再生条件に従い、複数の部分情報抽出部３０ａから出力されるタイムコードのそれぞれに従ってシングルストリーム情報を情報格納部２０から読み出し、読み出したシングルストリーム情報を対応する表示装置４２に出力する（ステップＳｂ６）。
【００４１】
上記の第２実施形態により、ユーザ１００が近づいた表示装置４２については、通常の速度で再生が行われ、それ以外の表示装置４２については短縮されたシングルストリーム情報が再生されることになる。
【００４２】
なお、人感センサ５０がユーザ情報を受信していない場合は、全ての表示装置４２のスピーカの音量を小さくしておき、情報合成部４１が、人感センサ５０からユーザ情報を受信した際、当該人感センサ５０に対応する表示装置４２については、音量を大きくするような制御をすることにより、映像が通常の速度で再生されるとともに音量を大きくしてユーザ１００に視聴させやすくすることが可能である。
【００４３】
また、上記構成では、ユーザ１００が表示装置４２に近づいたか否かを検出するために人感センサ５０を用いたが、人感センサ５０の代わりに、ユーザ１００の視線やユーザ１００と表示装置４２のディスプレイとの距離を計測するセンサを用いてもよい。ユーザ１００の視線を計測する場合には、ユーザ１００の視線が向かっている方向にある表示装置４２について上記のような情報再生処理を行い、また、詳細な距離を計測する場合には、それぞれの表示装置４２からの距離に応じて、再生速度や音量を変更するような処理も可能となる。
【００４４】
図５は、図４に係る情報再生処理による表示を概念的に示した図であり、例えば、第１映像情報と第１音情報が情報抽出部３０ａ−１と表示装置４２−１と人感センサ５０−１に対応しており、第２映像情報と第２音情報が情報抽出部３０ａ−２と表示装置４２−２と人感センサ５０−２に対応している状態にて、人感センサ５０−１あるいは５０−２がユーザ情報を検出している間、それぞれに対応する映像情報と音情報が出力され、それ以外の間は短縮されて出力されることになる。
【００４５】
上述の情報再生装置は内部に、コンピュータシステムを有している。そして、上述した情報再生処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００４６】
【図１】第１実施形態による情報再生装置の機能構成を示した概略ブロック図である。
【図２】第１実施形態における情報再生装置による情報再生処理を示したフローチャートである。
【図３】第２実施形態による情報再生装置の機能構成を示した概略ブロック図である。
【図４】第２実施形態における情報再生装置による情報再生処理を示したフローチャートである。
【図５】第２実施形態における短縮を行った情報再生処理を概念的に示した図である。
【符号の説明】
【００４７】
１  情報再生装置
１０  情報分解部
２０−１，２０−２  情報格納部
３０−１，３０−２  部分情報抽出部
４０  情報再生部
【図１】
2006333340.tif 000003
【図２】
2006333340.tif 000004
【図３】
2006333340.tif 000005
【図４】
2006333340.tif 000006
【図５】
2006333340.tif 000007